(57)【特許請求の範囲】
【請求項１】
予めアンテナ本体側に設けられたアンテナホルダの雄ネジをアンテナガイド側に設けられたアンテナホルダ受具の雌ネジに締結し、締結した状態のままケースに設けられたアンテナ本体挿通孔に挿通し、前記アンテナ挿通孔近傍の前記ケースに設けられた前記アンテナを固定するための嵌合部に留め具を装着することによりアンテナを固定するようにしたことを特徴とするアンテナ固定方法。
【請求項２】
アンテナ本体側に設けられたアンテナホルダと、アンテナガイド側に設けられたアンテナホルダ受具と、アンテナ本体挿通孔及び前記アンテナ挿通孔近傍に設けられ留め具を装着するための嵌合部を有するケースと、アンテナを固定するための前記留め具を備え、予め前記アンテナホルダの雄ネジを前記アンテナホルダ受具の雌ネジに締結し、締結した状態のまま前記アンテナ本体挿通孔に挿通し、前記嵌合部に前記留め具を装着することによりアンテナを固定するようにしたことを特徴とするアンテナ固定装置。
【請求項３】
前記留め具が、アンテナターミナルを有するものであることを特徴とする請求項２記載のアンテナ固定装置。
【請求項４】
前記アンテナホルダと前記アンテナホルダ受具との間、および前記アンテナホルダ受具と前記アンテナ本体挿通孔との間にワッシャを介在させるようにしたことを特徴とする請求項２記載のアンテナ固定装置。
【請求項５】
前記ワッシャが、シリコンゴムから成ることを特徴とする請求項４記載のアンテナ固定装置。
【請求項６】
請求項２乃至請求項５のアンテナ固定装置によってアンテナが固定されるようにしたことを特徴とする携帯端末機器。
【発明の詳細な説明】
【０００１】
【発明の属する技術分野】
本発明は、アンテナ固定方法及び装置に関し、特にアンテナホルダの雄ネジをアンテナガイド側に設けられたアンテナホルダ受具の雌ネジに締結した状態ままケースに取付・固定し、固定した後は、ネジを緩めてアンテナホルダをアンテナホルダ受具から外すことで、アンテナを本体筺体から外すことができるよう構成したものである。
【０００２】
【従来の技術】
携帯電話機やＰＨＳ（Personal Handyphone System）などの携帯端末機器には、アンテナが装備されている。このアンテナを携帯端末機器に取付ける場合、第１の手順として、アンテナホルダ受具を本体筺体に予め固定する。第２の手順として、アンテナホルダが一体に付いているアンテナ本体を前記アンテナホルダ受具に挿入する。第３の手順として、アンテナホルダを前記アンテナホルダ受具の雌ネジに螺着するという３つの組立て手順で取付けていた。
【０００３】
しかし、上記の作業は、本体筺体の上で組立て作業を行なうというものであり、アンテナ本体を前記アンテナホルダ受具に挿入する作業とアンテナホルダをアンテナホルダ受具に螺着する作業が自動化に適さず、携帯電話装置の組立て時間が容易に短縮できないという問題があった。
【０００４】
図４は、従来のアンテナ取付・固定方法を説明するための分解斜視図である。図４において、組立て作業は、まずアンテナガイド８及びアンテナターミナル６とを結合したアンテナホルダ受具５を下ケース３の所定位置に収納する。なお、図４では組立て状態を示すためにアンテナホルダ受具５を下ケース３に対して少し浮かせた状態を示しているが、最終的にはアンテナホルダ受具５を下ケース３に密着して、アンテナホルダ受具５の孔とアンテナ本体挿通孔７を連通させる。その後、上ケース９を被せて下ケース３と上ケース９で挟んで固定する。
【０００５】
一方、下ケース３の外では、アンテナ本体１をアンテナホルダ２に挿通したものを用意し、これを下ケース３に設けられたアンテナ本体挿通孔７に導き、上述した下ケース３内に設けられているアンテナホルダ受具５に案内する。
【０００６】
その後、アンテナホルダ２に設けられている雄ネジとアンテナホルダ受具５に設けられている雌ネジとをワッシャ４を介在させて結合する。こうすることでアンテナを取付・固定するようにしていた。
【０００７】
しかし、ユーザが携帯電話装置を使用している間に、何らかの原因でアンテナ本体１を曲げてしまったり、折ってしまったりしたときにはアンテナ本体１を交換することになるのであるが、できるだけ交換作業を簡単にするために、アンテナ本体１を交換する方法として、アンテナホルダ２を専用工具を用いて回転してネジを緩めてアンテナホルダ受具５からアンテナホルダ２と共にアンテナ本体１を外し、アンテナホルダ２の付いている新しいアンテナ本体１をアンテナホルダ受具５に挿通し、アンテナホルダ２を回転してアンテナホルダ受具５を螺着して取付けるという交換作業方法が標準的に採用されている。既にこの交換作業方法は業界内で実質的な標準作業方法になっているため、上記従来の構造を変更することは難しいという問題があった。
【０００８】
【発明が解決しようとする課題】
本発明は、上記従来の問題を解決するもので、アンテナホルダの雄ネジをアンテナガイド側に設けられたアンテナホルダ受具の雌ネジに締結した状態ままケースに取付・固定できるよう構成したアンテナ固定方法及び装置を提供することを目的とする。
【０００９】
【課題を解決するための手段】
本発明の請求項１に記載の発明は、予めアンテナ本体側に設けられたアンテナホルダの雄ネジをアンテナガイド側に設けられたアンテナホルダ受具の雌ネジに締結し、締結した状態のままケースに設けられたアンテナ本体挿通孔に挿通し、前記アンテナ挿通孔近傍の前記ケースに設けられた前記アンテナを固定するための嵌合部に留め具を装着することによりアンテナを固定するようにしたことを特徴とするアンテナ固定方法としたものである。
【００１０】
この構成により、アンテナホルダ付きアンテナとアンテナホルダ受具を一体にして姿で本体筺体に組み込むことができるので、労力と時間を掛けずに取付・固定することができる。
【００１１】
本発明の請求項２に記載の発明は、アンテナ本体側に設けられたアンテナホルダと、アンテナガイド側に設けられたアンテナホルダ受具と、アンテナ本体挿通孔及び前記アンテナ挿通孔近傍に設けられ留め具を装着するための嵌合部を有するケースと、アンテナを固定するための前記留め具を備え、予め前記アンテナホルダの雄ネジを前記アンテナホルダ受具の雌ネジに締結し、締結した状態のまま前記アンテナ本体挿通孔に挿通し、前記嵌合部に前記留め具を装着することによりアンテナを固定するようにしたことを特徴とするアンテナ固定装置としたものである。
【００１２】
この構成により、アンテナホルダ付きアンテナとアンテナホルダ受具を一体にして姿で本体筺体に組み込むことができるので、労力と時間を掛けずに取付・固定することができる。
【００１３】
また、請求項３に記載の発明は、前記留め具が、アンテナターミナルを有するものであることを特徴とする請求項２記載のアンテナ固定装置としたものである。
【００１４】
この構成により、労力と時間を掛けずに取付・固定することができるとともにアンテナターミナルとしても利用することができる。
【００１５】
また、請求項４に記載の発明は、前記アンテナホルダと前記アンテナホルダ受具との間、および前記アンテナホルダ受具と前記アンテナ本体挿通孔との間にワッシャを介在させるようにしたことを特徴とする請求項２記載のアンテナ固定装置としたものである。
【００１６】
この構成により、労力と時間を掛けずに確実に取付・固定することができる。
【００１７】
また、請求項５に記載の発明は、前記ワッシャが、シリコンゴムから成ることを特徴とする請求項４記載のアンテナ固定装置としたものである。
【００１８】
この構成により、労力と時間を掛けずに確実に取付・固定ることができる。
【００１９】
また、請求項６に記載の発明は、請求項２乃至請求項５のアンテナ固定装置によってアンテナが固定されるようにしたことを特徴とする携帯端末機器としたものである。
【００２０】
アンテナの取付・固定に労力と時間を掛けずに取付・固定するので、その分だけ携帯端末機器を安価に提供することができる。
【００２１】
【発明の実施の形態】
以下、本発明の実施の形態について、図１から図３を用いて説明する。
【００２２】
図１は、本発明の実施の形態に係るアンテナ固定装置の構成を示す断面図である。
【００２３】
図２は、図１の実施の形態について下ケース13にアンテナを取付・固定する手順を手順ごとに示した断面図である。図２（ａ）は下ケース13とアンテナ本体11がまだ別々に離れている状態を示している。図２（ａ）において、下ケース13にはアンテナ本体挿通孔17とアンテナ本体挿通孔17近傍にあってアンテナを固定するための留め具19を装着する嵌合部20が設けられている。
【００２４】
一方、アンテナ本体側ではアンテナホルダ12の雄ネジをアンテナガイド18側に設けられたアンテナホルダ受具15の雌ネジに締結してアンテナとして一体化しておく。
【００２５】
こうしておいて、図２（ｂ）のように、アンテナ本体11側に設けられたアンテナホルダ12の雄ネジをアンテナガイド18側に設けられたアンテナホルダ受具15の雌ネジに締結した状態まま下ケース13に設けられたアンテナ本体挿通孔17に挿通する。
【００２６】
その後に、アンテナ本体挿通孔17近傍でかつ下ケース13に設けられたアンテナを固定するための留め具19を嵌合部20に装着することによりアンテナを固定する。したがって、アンテナを労力と時間を掛けずに取付・固定することができる。
【００２７】
なお、上記の手順で固定した後に、アンテナ本体11を交換する方法としては、図２（ｄ）のように、アンテナホルダ12を専用工具で回してアンテナホルダ受具15と螺着しているネジを緩めて、アンテナホルダ12ごとアンテナ本体11をアンテナホルダ受具15から取り外し、新しいアンテナ本体11を取付けるという従来から採用されている交換方法をそのまま用いることができる。
【００２８】
図３は、本発明の実施の形態に係るアンテナ固定装置の構成を示す上面図である。図３において留め具19にはアンテナターミナル16がセットとして取付けられており、留め具19を取付ければアンテナを固定することができる共にアンテナターミナル16とプリント基板21に設けられているランド22とを接触させることができる。
【００２９】
また、図３において、アンテナホルダ12とアンテナホルダ受具15との間、およびアンテナホルダ受具15とアンテナ本体挿通孔との間にワッシャ14を介在させるようにしたので、強固に締結することが可能となり、かつ水分などの筐体内部への浸入を防ぐことができる。なお、ワッシャ14としてはシリコンゴムを使用することができる。
【００３０】
【発明の効果】
以上で説明したように、本発明の請求項１に記載の発明は、予めアンテナ本体側に設けられたアンテナホルダの雄ネジをアンテナガイド側に設けられたアンテナホルダ受具の雌ネジに締結し、締結した状態のままケースに設けられたアンテナ本体挿通孔に挿通し、前記アンテナ挿通孔近傍の前記ケースに設けられた前記アンテナを固定するための嵌合部に留め具を装着することによりアンテナを固定するようにしたことを特徴とするアンテナ固定方法としたものであり、これにより、アンテナホルダ付きアンテナとアンテナホルダ受具を一体にして姿で本体筺体に組み込むことができるので、労力と時間を掛けずに取付・固定することができるという効果を有する。しかも、アンテナを交換するときには、アンテナホルダを専用工具で回してアンテナホルダ受具に螺着しているネジを緩めて、アンテナホルダごとアンテナ本体をアンテナホルダ受具から取り外し、新しいアンテナ本体を取付けるという従来から採用されている交換作業方法をそのまま用いることができるという効果を有する。
【００３１】
また、請求項２に記載の発明は、アンテナ本体側に設けられたアンテナホルダと、アンテナガイド側に設けられたアンテナホルダ受具と、アンテナ本体挿通孔及び前記アンテナ挿通孔近傍に設けられ留め具を装着するための嵌合部を有するケースと、アンテナを固定するための前記留め具を備え、予め前記アンテナホルダの雄ネジを前記アンテナホルダ受具の雌ネジに締結し、締結した状態のまま前記アンテナ本体挿通孔に挿通し、前記嵌合部に前記留め具を装着することによりアンテナを固定するようにしたことを特徴とするアンテナ固定装置としたものであり、これにより、アンテナホルダ付きアンテナとアンテナホルダ受具を一体にして姿で本体筺体に組み込むことができるので、労力と時間を掛けずに取付・固定することができるという効果を有する。
【００３２】
また、請求項３に記載の発明は、前記留め具が、アンテナターミナルを有するものであることを特徴とする請求項２記載のアンテナ固定装置としたものであり、これにより、労力と時間を掛けずに取付・固定することができるとともにアンテナターミナルとしても利用することができるという効果を有する。
【００３３】
また、請求項４に記載の発明は、前記アンテナホルダと前記アンテナホルダ受具との間、および前記アンテナホルダ受具と前記アンテナ本体挿通孔との間にワッシャを介在させるようにしたことを特徴とする請求項２記載のアンテナ固定装置としたものであり、これにより、労力と時間を掛けずに確実に取付・固定することができるという効果を有する。
【００３４】
また、請求項５に記載の発明は、前記ワッシャが、シリコンゴムから成ることを特徴とする請求項４記載のアンテナ固定装置としたものであり、これにより、労力と時間を掛けずに確実に取付・固定ることができるという効果を有する。
【００３５】
また、請求項６に記載の発明は、請求項２乃至請求項５のアンテナ固定装置によってアンテナが固定されるようにしたことを特徴とする携帯端末機器としたものであり、これにより、アンテナの取付・固定に労力と時間を掛けずに取付・固定するので、その分だけ携帯端末機器を安価に提供することができるという効果を有する。
【図面の簡単な説明】
【図１】本発明の実施の形態に係るアンテナ固定装置の構成を示す断面図、
【図２】本発明の実施の形態に係るアンテナを取付・固定する手順と、交換するためにアンテナを取り外す手順を示した断面図、
【図３】本発明の実施の形態に係るアンテナ固定装置の構成を示す上面図、
【図４】従来のアンテナ取付・固定方法を説明するための分解斜視図である。
【符号の説明】
１、11  アンテナ本体
２、12  アンテナホルダ
３、13  ケース
４、14  ワッシャ
５、15  アンテナホルダ受具
６、16  アンテナターミナル
７、17  アンテナ本体挿通孔
８、18  アンテナガイド
19  留め具
20  嵌合部
21  プリント基板
22  ランド
【図１】
0004242528.tif 000002
【図２】
0004242528.tif 000003
【図３】
0004242528.tif 000004
【図４】
0004242528.tif 000005